(57)【特許請求の範囲】
【請求項１】
原稿の画像を読み取る画像読取装置であって、
原稿を搬送する搬送部と、
原稿を読み取る読取部と、
２枚の透明なシート部の間に原稿を挟んだ状態で搬送されるキャリアシートの向きが表向きか裏向きかを検出可能な向き検出部と、
前記キャリアシートの搬送中に前記シート部に挟まれた原稿の表面と裏面とを読み取って表面画像と裏面画像とを取得し、前記向き検出部により検出された向きに応じて、前記表面画像と前記裏面画像とを結合する辺を切り替えて結合画像を生成する処理部とを備えたことを特徴とする画像読取装置。
【請求項２】
前記処理部は、前記向き検出部により検出された向きに応じて画像読取処理内容を切り替えることを特徴とする請求項１に記載の画像読取装置。
【請求項３】
前記処理部が、前記キャリアシートの検出された向きに応じて切り替える画像読取処理内容には、原稿の画像を読み取る読取条件と、前記読取部が取得した読取データに施される画像処理内容と、画像処理後の読取データを指定の保存先に保存させる保存条件とのうち少なくとも一つが含まれることを特徴とする請求項２に記載の画像読取装置。
【請求項４】
原稿の重送を検出可能な重送検出部と、
２枚の透明なシート部の間に原稿を挟んだ状態で搬送される前記キャリアシートを検出するシート検出部とを備え、
前記シート検出部は、原稿の搬送方向において前記重送検出部よりも上流側の位置に設けられていることを特徴とする請求項１乃至３のいずれか一項に記載の画像読取装置。
【請求項５】
前記シート検出部がキャリアシートを検出すると、前記重送検出部を無効にすることを特徴とする請求項４に記載の画像読取装置。
【請求項６】
前記キャリアシートには、キャリアシートであることを検出可能な被検出部が設けられ、
前記シート検出部は、前記キャリアシートが前記搬送部によって搬送される過程で前記被検出部を検出可能な位置に設けられていることを特徴とする請求項４又は５に記載の画像読取装置。
【請求項７】
前記キャリアシートには、前記向き検出部が当該キャリアシートの向きが表向きか裏向きかを検出可能な被検出部が設けられ、
前記向き検出部は、前記キャリアシートが前記搬送部によって搬送される過程で前記被検出部を検出可能な位置に設けられていることを特徴とする請求項１乃至５のいずれか一項に記載の画像読取装置。
【請求項８】
前記被検出部は孔であり、
レバー式の原稿有無検出部を更に備え、
前記シート検出部は、前記原稿有無検出部に対して前記搬送方向と交差する幅方向にオフセットした位置に配置されていることを特徴とする請求項６に記載の画像読取装置。
【請求項９】
前記被検出部は、透明材料からなる窓部であることを特徴とする請求項６又は７に記載の画像読取装置。
【請求項１０】
２枚の透明なシート部の間に原稿を挟んだ状態でキャリアシートを搬送する搬送ステップと、
前記キャリアシートの向きが表向きか裏向きかを検出する向き検出ステップと、
前記キャリアシートの搬送中に前記シート部に挟まれた原稿の表面と裏面とを読み取って表面画像と裏面画像とを取得する読取ステップと、
前記キャリアシートの向きに応じて、前記表面画像と前記裏面画像とを結合する辺を切り替えて結合画像を生成する処理ステップとを備えたことを特徴とする画像読取方法。
【発明の詳細な説明】
【技術分野】
【０００１】
本発明は、原稿の画像を読み取るスキャナー等の画像読取装置及び画像読取方法に関する。
【背景技術】
【０００２】
従来、画像読取装置には、原稿を１枚ずつ搬送経路に沿って搬送可能な搬送部を備え、搬送経路の途中の所定位置に配置された読取部が搬送中の原稿を読み取るシートフィード方式と、原稿台に載置された原稿に対してキャリッジが相対移動しながらキャリッジに設けられた読取部が原稿を読み取るフラットベッド方式とが知られている。
【０００３】
例えば特許文献１には、複数枚の原稿が重なって搬送される重送を検出する超音波センサー（重送検出部）を備えた原稿読取装置が開示されている。超音波センサーは、媒体の搬送路を挟んで対向するように配置される超音波送信器及び超音波受信器を有する。また、この原稿読取装置には、搬送路で搬送される第１の媒体及び第１の媒体よりも厚い第２の媒体を区別する種別検出手段と、超音波センサーの出力及び種別検出手段の検出結果に基づいて、搬送路で搬送される媒体の重送の有無を検知する重送検知手段とを備える。超音波センサーの出力は、種別検出手段が検出した搬送中の原稿の紙厚に応じて調整される。例えば、搬送原稿がカード原稿であるときの超音波センサーの出力強度は、搬送原稿が紙原稿であるときの超音波センサーの出力強度よりも強く調整される。このため、カード原稿を紙原稿の重送と誤検出することが防止される。
【０００４】
ところで、シートフィード方式の画像読取装置では、パスポートや通帳等の複数頁からなる冊子原稿や、履歴書等の二つ折りにされた折り原稿の画像を読み取りたいニーズがある。しかし、搬送部には、原稿サポートに積載された複数枚の原稿を１枚ずつに分離する分離機構が設けられている。そのため、冊子原稿や折り原稿は、搬送時に分離機構から加わる１枚ずつに分離させる力によって、斜めにずれるなどして適切な画像を読み取ることができなくなる場合がある。そのため、冊子原稿や折り原稿を、無色透明な２枚のシートの周縁部の一部が接合されてなるキャリアシートに挟んで、分離機構による妨げなしで、キャリアシートに挟まれた原稿の画像を読み取る技術が開示されている（例えば特許文献２〜５等）。
【０００５】
例えば特許文献２には、転送プロトコルや利用者識別情報が記載されたキャリアシートが開示されている。このキャリアシートに挟んで原稿を読み取るときに、画像読取装置は、利用者識別情報を読み取り、その利用者識別情報に基づく利用者毎の設定に応じた原稿の読み取りを行う。
【０００６】
また、特許文献３〜５には、折り原稿をキャリアシートで挟んで両面を読み取る場合、両面を読み取った表面画像と裏面画像とを１枚の画像に結合する処理がなされる画像読取装置が開示されている。例えば特許文献３に記載の画像読取装置では、キャリアシートの縁部のマークを使って折り目の位置を特定し、特定した折り目の位置で表面画像と裏面画像とを結合する。
特許文献１に記載された重送検出部（超音波センサー）を備えた画像読取装置において、キャリアシートに挟んで原稿を読み取らせるとき、キャリアシートの２枚のシート部の部分を原稿（例えば紙原稿）の重送と誤検出されてしまう場合があった。そのため、例えば画像読取装置の操作部を操作して重送検出を無効にしたり、画像読取装置と通信可能に接続されたホスト装置の読取ドライバーに対して重送検出を無効にする操作をしたりする仕組みが必要であった。しかし、この種の仕組みを追加しても、ユーザーが重送検出を無効にする操作をし忘れると、キャリアシートを紙原稿の重送と誤検出したり、その後に重送検出を無効から有効に戻す操作をし忘れたりすると、次の紙原稿を読み取るときに紙原稿の重送が検出されなくなって、重送に起因する原稿の読取りの失敗を招くことになる。
【先行技術文献】
【特許文献】
【０００７】
【特許文献１】特開２０１３−６３８４３号公報
【特許文献２】特開２００８−２３６７０２号公報
【特許文献３】特開２０１４−６８２４３号公報
【特許文献４】特開２００５−２６０３８７号公報
【特許文献５】特開２０１４−２１６９９８号公報
【発明の概要】
【発明が解決しようとする課題】
【０００８】
ところで、特許文献３〜５に記載された画像読取装置において、キャリアシートに挟んだ原稿の表面画像と裏面画像とを適切に結合した結合画像を取得できない場合があった。なお、この種の課題は、シートフィード方式の画像読取装置に限定されず、フラットベッド方式であっても、搬送部の一例として、原稿を原稿台へ１枚ずつ給送する自動原稿給送装置を備えた画像読取装置であれば、概ね同様の課題を有する。
【０００９】
本発明の目的は、キャリアシートに挟んだ原稿の表面画像と裏面画像とを適切に結合した結合画像を取得できる画像読取装置及び画像読取方法を提供することにある。
【課題を解決するための手段】
【００１０】
以下、上記課題を解決するための手段及びその作用効果について記載する。
上記課題を解決する画像読取装置は、原稿の画像を読み取る画像読取装置であって、原稿を搬送する搬送部と、原稿を読み取る読取部と、２枚の透明なシート部の間に原稿を挟んだ状態で搬送されるキャリアシートの向きが表向きか裏向きかを検出可能な向き検出部と、前記キャリアシートの搬送中に前記シート部に挟まれた原稿の表面と裏面とを読み取って表面画像と裏面画像とを取得し、前記向き検出部により検出された向きに応じて、前記表面画像と前記裏面画像とを結合する辺を切り替えて結合画像を生成する処理部とを備えている。
上記課題を解決する画像読取装置は、原稿の画像を読み取る画像読取装置であって、原稿を搬送する搬送部と、原稿を読み取る読取部と、原稿の重送を検出可能な重送検出部と、２枚の透明なシート部の間に原稿を挟んだ状態で搬送されるキャリアシートを検出するシート検出部とを備え、前記シート検出部は、原稿の搬送方向において前記重送検出部よりも上流側の位置に設けられている。
【００１１】
この構成によれば、搬送対象がキャリアシートであるか否かが、原稿の搬送方向において重送検出部よりも上流側に位置するシート検出部により検出される。よって、重送検出部がキャリアシートを原稿の重送と誤検出する前に、シート検出部が、搬送対象がキャリアシートであることを検出できる。このため、重送検出部のこの種の誤検出に起因し、読取部によるキャリアシートに挟んだ原稿の読取動作が中断される事態を回避できる。
【００１２】
上記画像読取装置では、前記シート検出部がキャリアシートを検出すると、前記重送検出部を無効にすることが好ましい。
この構成によれば、シート検出部がキャリアシートを検出すると、重送検出部が無効とされる。よって、重送検出部がキャリアシートを原稿の重送と誤検出する前に、重送検出部を無効にすることができる。このため、原稿の重送を検出した場合に読取動作が中断される構成でも、キャリアシートに挟んだ原稿の読取動作を中断することなく継続できる。また、例えば重送検出部を無効にする操作をユーザーが行う必要がないので、ユーザーの手間を軽減できる。
【００１３】
上記画像読取装置では、前記キャリアシートの向きが表向きか裏向きかを検出可能な向き検出部と、前記向き検出部により検出された向きに応じて画像読取処理内容を切り替える処理部とを更に備えていることが好ましい。
【００１４】
この構成によれば、キャリアシートの向きが表向きか裏向きかが向き検出部により検出され、検出された向きに応じて、処理部による画像読取処理内容が切り替えられる。このため、原稿を挟んだキャリアシートを読取部が読み取った画像に対して、検出した向きに応じた適切な内容で原稿の画像読取処理を行うことができる。よって、ユーザーはキャリアシートを画像読取装置にセットする向きを表向きにするか裏向きにするかを選択することによって、画像読取装置に行わせる処理の内容を指定できる。
【００１５】
上記画像読取装置では、前記処理部は、前記キャリアシートの検出された向きに応じて、原稿の表面画像と裏面画像とを結合する辺を切り替えることが好ましい。
この構成によれば、処理部は、向き検出部が検出したキャリアシートの向きに応じて、キャリアシートに挟まれた原稿（例えば折り原稿等）の表面画像と裏面画像とを結合する辺を左右どちらにするかを切り替える。よって、ユーザーは原稿を挟んだキャリアシートを表向きか裏向きかどちらの向きで画像読取装置にセットするかを選択することで、２つの画像を結合する辺を左右どちらにするかを選択できる。この結果、ユーザーは表面画像と裏面画像とが所望の辺で結合された所望の画像を取得できる。
【００１６】
上記画像読取装置では、前記処理部が、前記キャリアシートの検出された向きに応じて切り替える画像読取処理内容には、原稿の画像を読み取る読取条件と、前記読取部が取得した読取データに施される画像処理内容と、画像処理後の読取データを指定の保存先に保存させる保存条件とのうち少なくとも一つが含まれることが好ましい。
【００１７】
この構成によれば、キャリアシートのセットされた向きに応じて、原稿の画像を読み取る読取条件と、読取データに施される画像処理内容と、画像処理後の読取データを指定の保存先に保存させる保存条件とのうち少なくとも一つが切り替えられる。よって、ユーザーはキャリアシートを表向きか裏向きかどちらの向きで画像読取装置にセットするかを選択することで、読取条件と画像処理内容と保存条件とのうち少なくとも一つを選択できる。
【００１８】
上記画像読取装置では、前記キャリアシートには、キャリアシートであることを検出可能な被検出部が設けられ、前記シート検出部は、前記キャリアシートが前記搬送部によって搬送される過程で前記被検出部を検出可能な位置に設けられていることが好ましい。
【００１９】
この構成によれば、シート検出部が、キャリアシートが搬送される過程でキャリアシートに設けられた被検出部を検出することができ、被検出部の検出結果に基づいて読取対象がキャリアシートであることを検出できる。
【００２０】
上記画像読取装置では、前記キャリアシートには、前記向き検出部が当該キャリアシートの向きが表向きか裏向きかを検出可能な被検出部が設けられ、前記向き検出部は、前記キャリアシートが前記搬送部によって搬送される過程で前記被検出部を検出可能な位置に設けられていることが好ましい。
【００２１】
この構成によれば、向き検出部が、キャリアシートに設けられた被検出部を検出することで、キャリアシートが表向きか裏向きかが検出される。キャリアシートがセットされた向きが表向きでも裏向きでも、キャリアシートに挟まれた原稿の表面画像と裏面画像とを適切な辺で結合できる。
【００２２】
上記画像読取装置では、前記被検出部は孔であり、レバー式の原稿有無検出部を更に備え、前記シート検出部は、前記原稿有無検出部に対して前記搬送方向と交差する幅方向にオフセットした位置に配置されていることが好ましい。
【００２３】
この構成によれば、孔からなる被検出部を検出可能なシート検出部は、レバー式の原稿有無検出部に対して原稿の搬送方向と交差する幅方向にオフセットされているので、被検出部の搬送経路上に原稿有無検出部のレバーが位置しない。よって、原稿有無検出部のレバーが被検出部の孔に引っ掛かることがない。
【００２４】
上記画像読取装置では、前記被検出部は、透明材料からなる窓部であることが好ましい。
この構成によれば、被検出部が透明材料からなる窓部なので、被検出部が孔である場合に比べ、接触式検出部のレバー等の接触部が被検出部に引っ掛かり難い。例えば、搬送方向と交差する方向においてシート検出部を原稿有無検出部に対してオフセットさせる必要がないので、シート検出部の配置の自由度が増し、例えば画像読取装置のコンパクト化に寄与できる。
【００２５】
上記課題を解消する画像読取方法では、２枚の透明なシート部の間に原稿を挟んだ状態でキャリアシートを搬送する搬送ステップと、前記キャリアシートの向きが表向きか裏向きかを検出する向き検出ステップと、前記キャリアシートの搬送中に前記シート部に挟まれた原稿の表面と裏面とを読み取って表面画像と裏面画像とを取得する読取ステップと、前記キャリアシートの向きに応じて、前記表面画像と前記裏面画像とを結合する辺を切り替えて結合画像を生成する処理ステップとを備える。
上記課題を解消する画像読取方法では、２枚の透明なシートが周縁部の一部で接合されることで原稿を挟むためのシート部を形成する接合部に被検出部が設けられたキャリアシートを前記シート部に原稿を挟んだ状態で搬送させる搬送ステップと、前記キャリアシートの搬送中に前記被検出部を検出する検出ステップと、前記キャリアシートの搬送中に前記シート部に挟まれた原稿の表面と裏面とを読み取って表面画像と裏面画像とを取得する読取ステップと、前記被検出部を検出した検出結果に基づいて前記表面画像と前記裏面画像とを結合する辺を特定する結合向き特定ステップと、特定された前記辺で前記表面画像と前記裏面画像とを結合して結合画像を生成する画像処理ステップとを備えている。
【００２６】
この方法によれば、キャリアシートの接合部に設けられた被検出部が、キャリアシートの搬送中に読み取られる。結合向き特定ステップでは、被検出部を検出した検出結果に基づいて辺が特定される。特定された辺で表面画像と裏面画像とが結合される。よって、原稿の表面画像と裏面画像とを適切な辺で結合した結合画像を取得できる。
【図面の簡単な説明】
【００２７】
【図１】一実施形態における画像読取装置を示す斜視図。
【図２】画像読取装置を示す模式側断面図。
【図３】本体部の搬送面部を示す模式平面図。
【図４】キャリアシートを示す模式平面図。
【図５】原稿を挟んだキャリアシートを示す一部破断した模式側断面図。
【図６】画像読取装置の電気的構成及び機能的構成を示すブロック図。
【図７】参考例のキャリアシートで折り原稿の表面と裏面とを読み取った２つの画像が正しいステッチ向きの辺で結合された例を説明する模式図。
【図８】参考例のキャリアシートで折り原稿の表面と裏面とを読み取った２つの画像がステッチ向きの辺と異なる辺で結合された例を説明する模式図。
【図９】実施例のキャリアシートで折り原稿の表面と裏面とを読み取った２つの画像が、キャリアシートのセット向きが表向きのときのステッチ向きの辺で正しく結合された例を説明する模式図。
【図１０】実施例のキャリアシートで折り原稿の表面と裏面とを読み取った２つの画像が、キャリアシートのセット方向が裏向きのときのステッチ向きの辺で正しく結合された例を説明する模式図。
【図１１】表向きにセットされたキャリアシートの検出処理を説明する模式図。
【図１２】裏向きにセットされたキャリアシートの検出処理を説明する模式図。
【図１３】画像読取処理を示すフローチャート。
【図１４】キャリアシート検出処理ルーチンを示すフローチャート。
【図１５】変形例のキャリアシートを示す模式平面図。
【図１６】原稿を挟んだキャリアシートを示す一部破断した模式側断面図。
【図１７】変形例のキャリアシートを示す模式平面図。
【図１８】同じく変形例のキャリアシートを示す模式平面図。
【発明を実施するための形態】
【００２８】
以下、画像読取装置の一実施形態を、図面を参照して説明する。
図１に示すように、本実施形態の画像読取装置１１は、側面視が略台形形状を有する装置本体１２（以下、単に「本体１２」という。）と、画像読取対象である原稿Ｄ及び原稿Ｄを挟んだ後述するキャリアシートＣＳが載置（セット）される載置面１３Ａを有する原稿サポート１３とを備える。原稿サポート１３に載置された原稿Ｄは、本体１２の上部に開口する給送口１２Ａへ１枚ずつ給送される。給送された原稿Ｄは、本体１２内を所定の搬送経路３２（図２参照）に沿って搬送され、その搬送途中の読取位置で画像が読み取られた後、本体１２の前側下部に開口する排出口１２Ｂから排出され、例えば排出トレイ１８Ａ（図２参照）に積載される。本実施形態では、パスポートや通帳等の冊子原稿及びＡ３判サイズを二つ折りにした履歴書等の折り原稿などの原稿Ｄは、後述する無色透明なキャリアシートＣＳに挟んだ状態で、キャリアシートＣＳごと原稿サポート１３にセットされる。
【００２９】
原稿サポート１３は、本体１２に対して基端部（下端部）が回動可能に連結された第１サポート部１４と、第１サポート部１４の先端部に対して基端部が回動可能に連結された第２サポート部１５とを備える。第２サポート部１５の先端部には、スライド式の補助サポート部１６が出退可能に設けられている。原稿サポート１３は、本体１２の後側上方へ斜めに延出し、原稿を載置可能なサポートとして機能する図１に示す開位置（使用位置）と、ユーザーによって開位置から図１の紙面手前方向へ回動されることにより、本体１２の上面部及び前面部１２Ｃを覆う閉位置（収納位置）とに配置可能となっている。
【００３０】
原稿サポート１３の載置面１３Ａには、原稿Ｄが搬送される搬送方向Ｙと交差（特に直交）する幅方向Ｘにスライド可能な一対のエッジガイド１７が設けられている。載置面１３Ａ上に積載された原稿Ｄ又はキャリアシートＣＳは、一対のエッジガイド１７に挟まれることで、給送口１２Ａに対して幅方向Ｘに位置決めされる。なお、幅方向Ｘが、画像読取装置１１が原稿の画像を読み取るときの主走査方向、搬送方向Ｙが副走査方向となる。
【００３１】
図１及び図２に示すように、本体１２は、本体部１８と、本体部１８の前端部を中心に回動可能に連結されたカバー部１９とを備える。カバー部１９が図１及び図２に示す閉位置に配置された状態では、図２に示すように、本体部１８とカバー部１９との間に給送口１２Ａから排出口１２Ｂに至る搬送経路３２が形成される。ユーザーが図１に示す操作部１９Ａを操作してカバー部１９の係止を解除し、カバー部１９を図１に示す閉位置から図１の紙面手前方向へ開位置まで回動させると、搬送経路３２の一方の面部を形成する搬送面部３９（図３参照）が露出する。このカバー部１９を開けて搬送面部３９を露出状態とすることで、原稿Ｄの紙詰まり（ジャム）の除去や給送・搬送用のローラー３３Ａ〜３６Ａ等（図２参照）のメンテナンス等が行われる。
【００３２】
図１に示すように、本体１２（カバー部１９）の前面部１２Ｃには、操作部２０が設けられている。操作部２０は、画像読取装置１１に指示を与えるときにユーザーによって操作される複数の操作用のスイッチ２１〜２６を備える。詳しくは、操作部２０は、電源スイッチ２１、スタートスイッチ２２、ストップスイッチ２３、モード選択スイッチ２４、重送検出無効スイッチ２５（重送検出スキップスイッチ）及び無線通信用スイッチ２６などの各種のスイッチからなる。重送検出無効スイッチ２５は、原稿Ｄが複数枚重なって給送される重送の有無を検出する重送検出を無効にする際に操作され、無効とされているとき重送検出は行われない。操作部２０に隣接する位置には、例えばＬＥＤ等により点灯と点滅の少なくとも一方と消灯とが可能、あるいは点灯時の点灯色の変更が可能な表示灯からなる報知部２７が設けられている。報知部２７は、例えば電源のオン／オフ、現在選択中のモード、重送検出の有効／無効などを表示灯の点灯・消灯あるいは点灯色の変更によってユーザーに報知する。
【００３３】
図２に示すように、画像読取装置１１の本体１２内には、画像読取処理（スキャン処理）を行う画像読取処理機構３０が設けられている。画像読取処理機構３０は、原稿Ｄを搬送する搬送部３１を備える。搬送部３１は、原稿サポート１３に積載された複数枚の原稿Ｄを、１枚ずつ給送口１２Ａから板状の給送ガイド３２Ａに沿って本体１２内へ案内しつつ給送し、給送した原稿Ｄを搬送経路３２に沿って一定の搬送速度で搬送する。
【００３４】
搬送部３１は、本体１２内の搬送経路３２の上流端位置に配置された一対の給送ローラー対３３と、給送ローラー対３３よりも搬送方向下流側に配置された一対の給送ローラー対３４と、搬送方向Ｙに原稿Ｄの読取位置を挟んで上流側に配置された一対の搬送ローラー対３５と、下流側に配置された一対の搬送ローラー対３６とを備える。
【００３５】
給送ローラー対３３，３４は、駆動ローラー３３Ａ，３４Ａと従動ローラー３３Ｂ，３４Ｂとにより構成される。また、搬送ローラー対３５，３６は、駆動ローラー３５Ａ，３６Ａと従動ローラー３５Ｂ，３６Ｂとにより構成される。各従動ローラー３３Ｂ〜３６Ｂは、それぞれが対をなす駆動ローラー３３Ａ〜３６Ａの回転により連れ回りする。
【００３６】
複数のローラー対３３〜３６を構成する各駆動ローラー３３Ａ〜３６Ａは、それらの動力源である搬送モーター３７の動力により回転駆動する。給送ローラー対３４を構成する従動ローラー３４Ｂはリタードローラーとなっており、その外周面の原稿Ｄに対する摩擦係数が、駆動ローラー３４Ａの外周面の原稿Ｄに対する摩擦係数よりも大きくなっている。このため、給送ローラー対３４は、原稿Ｄを１枚ずつ分離して搬送方向Ｙの下流側へ送り出す分離機構３８として機能する。よって、給送ローラー対３３の回転により原稿サポート１３に積載された複数枚の原稿Ｄは、例えば最下位のものから順番に１枚ずつ給送口１２Ａから本体１２内へ給送され、さらに給送ローラー対３４の回転により１枚ずつ分離されて搬送方向Ｙの下流側へ給送される。冊子原稿や折り原稿はそのまま給送されると、分離機構３８の分離作用によりずれて給送される虞がある。そのため、ユーザーは冊子原稿や折り原稿などの原稿Ｄをスキャンする際は、原稿ＤをキャリアシートＣＳ（図４参照）に挟んで原稿サポート１３にセットし、キャリアシートＣＳごと原稿Ｄを搬送させる。
【００３７】
図２に示すように、本体１２内に給送ローラー対３３，３４及び搬送ローラー対３５，３６により形成された搬送経路３２の途中の読取位置には、搬送経路３２を挟む両側に一対の読取部４０が設けられている。一対の読取部４０は、第１読取部４０Ａと第２読取部４０Ｂとからなり、互いに対向しない程度に搬送方向Ｙに少しずれた位置に配置されている。一対の読取部４０は、搬送中の原稿Ｄに光を照射可能な光源４１と、主走査方向（幅方向Ｘ）に延びるイメージセンサー４２とにより構成される。原稿Ｄの片面（表面）を読み取る通常読取モードのときは、第１読取部４０Ａが読取動作を行い、原稿Ｄの両面（表裏面）を読み取る両面読取モードのときは、第１読取部４０Ａと第２読取部４０Ｂとが共に読取動作を行う。
【００３８】
光源４１は、例えばＬＥＤや蛍光ランプなどにより構成される。イメージセンサー４２は、光源４１から射出された光が原稿Ｄ等で反射した反射光を受光し、受光した光を電気信号に変換して受光量に応じた値の画素信号を出力する。イメージセンサー４２は、例えばリニアイメージセンサーである。画像読取装置１１は、カラースキャンとモノクロスキャン（グレースケールスキャン）とが可能である。カラースキャン方式には、イメージセンサーがモノクロで、ＲＧＢ各色の光源を時系列で順番に発光させてイメージセンサーからＲＧＢ各色の画素信号を順番に取得する方式と、イメージセンサーがカラーフィルターで覆われたＲＧＢ各色の光電変換素子を備え、白色光源を発光させて各光電変換素子からＲＧＢの各画素信号を取得する方式とがある。カラースキャン方式はどちらの方式でもよい。なお、以下では、光源４１とイメージセンサー４２を、第１読取部４０Ａ側のものを指して、第１光源４１Ａ及び第１イメージセンサー４２Ａと記し、第２読取部４０Ｂ側のものを指して、第２光源４１Ｂ及び第２イメージセンサー４２Ｂと記す場合がある。
【００３９】
さらに、イメージセンサー４２と搬送経路３２を挟んで対向する位置には、色基準板４３が配置されている。色基準板４３はシェーディング補正用の白基準値を得るためのもので、白色を呈する白基準板又はグレー（灰色）を呈するグレー基準板が用いられる。グレー基準板は、色基準板４３を原稿の背景（グレー背景）として読み取った読取データから、原稿と背景との色又は輝度値の違いを基に、原稿Ｄの位置及び領域を検出するために用いられる。なお、原稿検出専用のセンサーで原稿の検出を行う構成とした場合は、色基準板４３を白基準板にすることが好ましい。
【００４０】
イメージセンサー４２は、複数の光電変換素子を主走査方向Ｘに沿って一列に配置した、例えばコンタクト型イメージセンサーである。さらにイメージセンサー４２は、具体的にはＣＭＯＳ（Complementary Metal Oxide Semiconductor）イメージセンサーである。イメージセンサー４２は、各光電変換素子が受光した光を光電変換して受光量に応じた値の画素信号を出力する。
【００４１】
また、図２に示すように、本体１２内には、複数のローラー対３３〜３６のうち１つの駆動ローラーの回転を検出可能なエンコーダー４４（例えばロータリーエンコーダー）が設けられている。エンコーダー４４は、駆動ローラーの回転量に比例する数のパルスを含む検出信号を出力する。エンコーダー４４の検出信号は、本体１２内に配置されたコントローラー５０に入力され、コントローラー５０が原稿ＤやキャリアシートＣＳ等の搬送対象の先端が検知された位置から、検出信号のパルスの数を計数することで、搬送対象の搬送中の位置（搬送位置）の把握に用いられる。
【００４２】
また、図２に示すように、本体１２内には、複数のローラー対３３〜３６のうち１つの駆動ローラーの回転を検出可能なエンコーダー４４（例えばロータリーエンコーダー）が設けられている。エンコーダー４４は、駆動ローラーの回転量に比例する数のパルスを含む検出信号を出力する。エンコーダー４４の検出信号は、本体１２内に配置されたコントローラー５０に入力され、コントローラー５０が原稿ＤやキャリアシートＣＳ等の搬送対象の先端が検知された位置から、検出信号のパルスの数を計数することで、搬送対象の搬送中の位置（搬送位置）の把握に用いられる。
【００４３】
搬送モーター３７、読取部４０（４０Ａ，４０Ｂ）を構成する光源４１及びイメージセンサー４２は、コントローラー５０により制御される。また、コントローラー５０は、ユーザーが操作する操作部２０からの操作信号により与えられた指示に基づき画像読取装置１１を制御する。
【００４４】
次に図３を参照して、原稿の搬送経路のうちの下側の面部を形成する搬送面部３９について説明する。図３に示すように、本体部１８の上面によって形成される搬送面部３９は、本体部１８の上面を覆う搬送板１８Ｂと、その上面から突出すると共に搬送方向Ｙに沿って互いに平行に延びる複数本のリブ１８Ｃとを有する。搬送面部３９における幅方向Ｘの略中央部には、搬送方向Ｙの上流側から順に、給送ローラー対３３，３４を構成する各駆動ローラー３３Ａ，３４Ａ、搬送ローラー対３５，３６を構成する各駆動ローラー３５Ａ，３６Ａが、それぞれ幅方向Ｘに少しの間隔を隔てて一対ずつ配置されている。給送ローラー対３３を構成する一対の駆動ローラー３３Ａの間には、原稿センサー４５が配置されている。原稿センサー４５は、例えばレバーを有する接触式センサーであり、レバーが押されることで、原稿サポート１３にセットされた原稿Ｄ又はキャリアシートＣＳの有無を検知する。
【００４５】
コントローラー５０は、搬送対象が給送位置にセットされた際の原稿センサー４５のオン信号に基づき搬送カウンター８１をリセットし、搬送モーター３７の駆動中にエンコーダー４４から入力する検出信号のパルス又はパルスエッジの数を搬送カウンター８１が計数した計数値に基づいて、搬送対象の搬送方向Ｙの位置である搬送位置を把握する。
【００４６】
さらに搬送方向Ｙにおいて駆動ローラー３４Ａと駆動ローラー３５Ａとの間の位置には、重送検出部の一例としての重送センサー４７が配置されている。重送センサー４７は、例えば超音波式センサーであり、超音波を発信可能な発信器４７Ａと、発信器４７Ａに対して搬送経路３２を挟んで対向する位置に配置され、発信器４７Ａからの超音波を受信可能な受信器４７Ｂ（図３参照）とを備える。重送センサー４７は、発信器４７Ａからの超音波が、重送した２枚の原稿Ｄの隙間で減衰する原理を利用して、原稿Ｄの重送を検知する。２枚以上の原稿Ｄを通過したときの超音波の減衰度合は、１枚の原稿を通過したときの超音波の減衰度合よりも大きいので、その大きな減衰度合によって検出値が所定の閾値（図８における第２の閾値ＳＨ２）を超えると（下回ると）、重送と検出される。一方、１枚の原稿Ｄを通過したときの超音波の減衰度合は小さいので、検出値が所定の閾値を超えることがなく、重送とは検出されない。また、キャリアシートＣＳの接合部５１以外のシート部５２は２枚からなり、２枚のシート部５２の隙間で超音波が減衰する減衰度合が大きいため、重送センサー４７はキャリアシートＣＳを、原稿の重送と誤検出する場合がある。そのため、ユーザーはキャリアシートＣＳに挟んで原稿Ｄを読み取るときは、重送検出無効スイッチ２５を操作して重送検出を無効にすることができる。
【００４７】
また、搬送ローラー対３５を構成する一対の駆動ローラー３５Ａの間には、原稿Ｄの有無を検出可能な原稿有無検出部の一例としての原稿有無センサー４８が配置されている。本例の原稿有無センサー４８は、例えばレバー（接触子）を有する接触式センサーである。原稿有無センサー４８は、原稿Ｄ又はキャリアシートＣＳの先端がレバーを押すことで非検知状態から検知状態に切り換わり、その原稿Ｄ又はキャリアシートＣＳの後端がレバーを通り過ぎてレバーが押されなくなると、検知状態から非検知状態に切り換わる。よって、コントローラー５０は、原稿有無センサー４８が非検知状態から検知状態に切り換わることをもって、原稿Ｄ又はキャリアシートＣＳのあり状態（原稿あり状態）を検知し、検知状態から非検知状態に切り換わることをもって、原稿Ｄ又はキャリアシートＣＳのなし状態（原稿なし状態）を検知する。原稿有無センサー４８の検知結果は、その搬送方向Ｙ下流側に配置された読取部４０（４０Ａ，４０Ｂ）の読取動作の開始と終了のタイミングを決める制御に用いられる。なお、原稿有無センサー４８は、光学式センサー等の非接触センサーとしてもよい。
【００４８】
本実施形態では、キャリアシートセンサー４６（以下、「ＣＳセンサー４６」ともいう。）は、接触式センサーからなる各センサー４５，４８に対して、搬送方向Ｙと交差する幅方向Ｘ（主走査方向）にずれた位置に配置されている。本例のＣＳセンサー４６はキャリアシートＣＳの接合部５１に設けられたマーク５３，５４を検出対象とする光学式センサーで、幅方向Ｘに並んで一対設けられている。ＣＳセンサー４６は、搬送路を搬送されるキャリアシートＣＳの面と直交する方向に搬送路を挟む両側に発光器と受光器とを備え、発光器からの光を受光器が受光することで検知状態となり、発光器からの光が原稿又はキャリアシートＣＳの不透明部分に遮断されると非検知状態となる。
【００４９】
一対のＣＳセンサー４６は、シート検出部の一例としての第１キャリアシートセンサー４６Ａ（第１ＣＳセンサー４６Ａとも記す。）と、向き検出部の一例としての第２キャリアシートセンサー４６Ｂ（第２ＣＳセンサー４６Ｂとも記す。）とを備える。第１ＣＳセンサー４６Ａは、搬送路の幅中心に対して幅方向Ｘの外側寄りに配置され、第２ＣＳセンサー４６Ｂは、搬送路の幅中心に対して幅方向Ｘの内側寄りに配置されている。また、本実施形態では、ＣＳセンサー４６がキャリアシートＣＳを検知したときは、重送センサー４７の検出信号に基づく重送検出は無効とされる。
【００５０】
次に図４及び図５を参照してキャリアシートＣＳについて説明する。図４に示すように、キャリアシートＣＳは、無色透明の合成樹脂からなる２枚の四角形状のシート５２Ａを周縁部の一部で接合された一定幅（例えば５〜２０ｍｍの範囲内）で辺に沿って延びる帯状の接合部５１と、接合部５１から延出する２枚のシート部５２とを有する。キャリアシートＣＳは、図５に示すように２枚のシート部５２の間に原稿Ｄを挟んで使用される。そのため、２枚のシート部５２は、その間に挟んで使用される規定サイズ（Ａ４判又はＢ５判等）の原稿Ｄのサイズよりも一回り大きなサイズを有している。
【００５１】
キャリアシートＣＳは、接合部５１側が搬送方向Ｙの先頭となる向きで原稿サポート１３上にセットされて使用される。つまり、原稿Ｄを挟んだキャリアシートＣＳは、接合部５１を給送口１２Ａに差し込んだ状態にセットされる。そして、セットされたキャリアシートＣＳは接合部５１側から本体１２内へ給送される。給送されたキャリアシートＣＳは、本体１２内の搬送経路３２に沿って接合部５１を先頭にして搬送方向Ｙに搬送される。
【００５２】
図５に示すように、キャリアシートＣＳの接合部５１は、２枚の無色透明なシート５２Ａの端部が例えば不透明な接合材５１Ａを介して接合されているため不透明である。接合部５１は、２枚の透明なシート５２Ａの間は接合材５１Ａの介在により隙間がないので、重送センサー４７が接合部５１を検出対象とするときの超音波の減衰度合は比較的小さい。一方、シート部５２の部分では、２枚の透明なシート５２Ａの間に原稿Ｄを挟むか否かに関わらず隙間（空気層）が介在するため、重送センサー４７がシート部５２を検出対象とするときの超音波の減衰度合は、接合部５１を検出対象とするときの超音波の減衰度合よりも大きい。そのため、キャリアシートＣＳに原稿Ｄを挟んで画像を読み取らせるときに、重送センサー４７がキャリアシートＣＳのシート部５２を原稿Ｄの重送と誤検出する場合がある。
【００５３】
そのため、ユーザーはキャリアシートＣＳを使用するときに、重送検出無効スイッチ２５又はホスト装置１００の入力部１０１を操作して、重送検出を無効にする必要があった。しかし、重送検出を無効にする操作をし忘れると、キャリアシートＣＳを原稿の重送と誤検出して読取エラーになったり、キャリアシートＣＳの読取り終了後に、重送検出を無効から有効に戻す操作をし忘れると、次に紙原稿を読み取るときに紙原稿の重送が検出されなくなって重送に起因する原稿の読取りの失敗を招いたりする。この種の問題を解消するため、本実施形態では、キャリアシートＣＳを検出可能なＣＳセンサー４６を設け、このＣＳセンサー４６がキャリアシートＣＳを検出すると、重送センサー４７の検出信号に基づく重送検出を無効にする。
【００５４】
図４及び図５に示すように、キャリアシートＣＳの接合部５１には、ＣＳセンサー４６により検出される被検出部として複数のマーク５３，５４が設けられている。複数のマーク５３，５４は、キャリアシートＣＳの幅中心線に対して接合部５１の長手方向と平行な幅方向（左右方向）に線対象（左右対称）な位置に配置されている。一方のマーク５３は、キャリアシートＣＳが搬送方向Ｙに搬送されたときに、第１ＣＳセンサー４６Ａの検出位置を通る領域Ａ１に２個のマーク５６Ａ，５６Ｂを有する。また、他方のマーク５４は、キャリアシートＣＳが搬送方向Ｙに搬送されたときに、第１ＣＳセンサー４６Ａの検出位置を通る領域Ａ２に２個のマーク５７Ａ，５７Ｂを有する。
【００５５】
また、領域Ａ１のキャリアシートＣＳの幅方向（図４では左右方向）の隣には、キャリアシートＣＳが搬送方向Ｙに搬送されたときに、第２ＣＳセンサー４６Ｂの検出位置を通る領域Ａ２が設定されている。一方のマーク５３は、領域Ａ２にマークを有さず、他方のマーク５４は、領域Ａ２内にキャリアシートＣＳの長手方向（図４では上下方向）に沿って配列された２個のマーク５７Ａ，５７Ｂを有している。マーク５３の幅方向外側寄りに配列された２個のマーク５３Ａ，５３Ｂと、マーク５４の幅方向外側寄りに配列された２個のマーク５５Ａ，５４Ｂとは、キャリアシートＣＳを表裏反転させたときに同じ位置に重なるようになっており、その重なる位置に対応して１個のＣＳセンサー４６（第１ＣＳセンサー４６Ａ）が設けられている。
【００５６】
図３に示す第１ＣＳセンサー４６Ａは、キャリアシートＣＳが原稿サポート１３にセットされたときのセット向きが図４に示す表向きであるとき、マーク５３Ａ，５３Ｂを検出可能である（図９参照）。また、第１ＣＳセンサー４６Ａは、キャリアシートＣＳが原稿サポート１３にセットされたときのセット向きが図４に示す表向きから表裏を反転させた裏向きとしたときに、マーク５４Ａ，５４Ｂを検出可能である（図１０参照）。
【００５７】
第１ＣＳセンサー４６Ａは、キャリアシートＣＳが表向きにセットされたときにマーク５３Ａ，５３Ｂを検出でき、キャリアシートＣＳが裏向きにセットされたときにマーク５４Ａ，５４Ｂを検出できる。キャリアシートＣＳが表向きにセットされたとき、第１ＣＳセンサー４６Ａが領域Ａ１内のマーク５３Ａ，５３Ｂを検出すると、読取対象がキャリアシートＣＳであると判別される。また、キャリアシートＣＳが裏向きにセットされたとき、第１ＣＳセンサー４６Ａが領域Ａ１内のマーク５４Ａ，５４Ｂを検出すると、読取対象がキャリアシートＣＳであると判別される。
【００５８】
また、第２ＣＳセンサー４６Ｂは、キャリアシートＣＳが図４に示す表向きにセットされて搬送されたときにその検出対象となる領域Ａ２内にマークが無いためマーク非検出状態となる。このため、第２ＣＳセンサー４６Ｂが、マークを検出しないマーク非検出状態のときは、キャリアシートＣＳが表向きと判別される。また、第２ＣＳセンサー４６Ｂは、キャリアシートＣＳが裏向き（図１０参照）にセットされて搬送されたときにその検出対象となる領域Ａ２内のマーク５５Ａ，５５Ｂを検出しマーク検出状態となる。このため、第２ＣＳセンサー４６Ｂが、領域Ａ２内のマーク５５Ａ，５５Ｂを検出したマーク検出状態のときは、キャリアシートＣＳが裏向きと判別される。なお、マーク５３，５４の領域Ａ２における向き検出用のマークの有無は、表向き検出用と裏向き検出用とで図４と反対でもよい。
【００５９】
図５に示すように、本実施形態のキャリアシートＣＳの接合部５１に設けられたマーク５３，５４は、無色透明な窓部となっている。接合材５１Ａには、例えばマーク５３，５４と対応する部分が貫通孔５１Ｂとなっており、その貫通孔５１Ｂが無色透明のシートで覆われることで、マーク５３，５４は透明な窓部に形成されている。ＣＳセンサー４６は、キャリアシートＣＳの接合部５１においてマーク５３，５４の部分で透過した光を受光して検知状態となり、マーク５３，５４のない部分で光が遮断されることで非検知状態となる。よって、コントローラー５０は、ＣＳセンサー４６が非検知状態から検知状態に切り換わることをもって、原稿Ｄ又はキャリアシートＣＳの先端及びマーク５３，５４の搬送方向下流側のエッジを検知する。コントローラー５０は、ＣＳセンサー４６が検知状態から非検知状態に切り換わることをもって、原稿Ｄ又はキャリアシートＣＳの後端及びマーク５３，５４の搬送方向上流側のエッジを検知する。
【００６０】
図７は、参考例のキャリアシートＣＳ１を示し、このキャリアシートＣＳ１には表面と裏面とがある。折り原稿Ｄ１を２枚のシート部５２に挟んだキャリアシートＣＳ１は、表面が下面側となる向きで、かつ接合部５１側を搬送方向の先頭となる向きにセットしたとき、折り原稿Ｄ１の折り目が図７における右側に配置されるようにセットされる。この場合、折り原稿Ｄ１の両面を読み取って得られる表面画像ＳＤ１と裏面画像ＳＤ２は、折り原稿Ｄ１の右側の辺をステッチＳＴ１として結合線ＣＬで結合され、１つの結合画像に生成される。図７の例では、表面画像ＳＤ１と裏面画像ＳＤ２は正しく結合される。
【００６１】
一方、図７と同様に折り原稿Ｄ１をその折り目が右側に位置するようにキャリアシートＣＳ１にセットしても、例えば図８に示すように、キャリアシートＣＳ１をセットするときに表面と裏面とを間違えて、表面を上面側となる向きにキャリアシートＣＳ１をセットしてしまう場合がある。この場合、図８に示すように、折り原稿Ｄ１の右側の辺をステッチＳＴ１とみなし、読み取られた表面画像ＳＤ１と裏面画像ＳＤ２とが右側の辺をステッチＳＴ１として結合線ＣＬで結合され、１つの結合画像ＳＤに生成される。このため、実際の折り目とは異なる間違った辺をステッチＳＴ１として表面画像ＳＤ１と裏面画像ＳＤ２とが結合された間違った結合画像ＳＤが生成される。
【００６２】
図９に示すように、本実施形態のキャリアシートＣＳでも、折り原稿Ｄ１の折り目（ステッチＳＴ）の向きを左右どちらに配置するかが予め決められている。そのため、図９に示すようにキャリアシートＣＳが表向きにセットされた場合と、図１０に示すようにキャリアシートＣＳが裏向きにセットされた場合とで、ステッチＳＴの向きが左右で逆向きになる。図９に示すように、第１ＣＳセンサー４６Ａがマーク５３Ａ，５３Ｂを検出した結果、キャリアシートＣＳであることが検出される。また、第２ＣＳセンサー４６Ｂがマークを検出しないマーク非検出状態なので、キャリアシートＣＳのセット向きが表向きと検出される。この場合、図９における折り原稿Ｄ１の右側の辺をステッチＳＴとみなし、表面画像ＳＤ１と裏面画像ＳＤ２とがステッチＳＴと対応する結合線ＣＬで結合される。このため、表面画像ＳＤ１と裏面画像ＳＤ２とが、折り原稿Ｄ１を開いたときと同じ画像の１つの結合画像ＳＤとして結合される。
【００６３】
一方、図１０に示すように、キャリアシートＣＳが裏向きにセットされた場合、第１ＣＳセンサー４６Ａがマーク５４Ａ，５４Ｂを検出した結果、キャリアシートＣＳであることが検出される。また、第２ＣＳセンサー４６Ｂがマーク５５Ａ，５５Ｂを検出するので、キャリアシートＣＳのセット向きが裏向きと検出される。このように裏向きと検出された場合、図１０における折り原稿Ｄ１の左側の辺をステッチＳＴとみなし、左側の辺を結合線ＣＬとして表面画像ＳＤ１と裏面画像ＳＤ２とが１つの結合画像ＳＤに結合される。その結果、折り原稿Ｄ１を開いたときと同じ画像の結合画像ＳＤが得られる。
【００６４】
次に図６を参照して、画像読取装置１１の電気的構成について説明する。図６に示すように、コントローラー５０は、マイクロプロセッサー等からなるコンピューター６０と、記憶部６１と、ホスト装置１００から各種のデータや信号を入力する入力インターフェイスからなる入力部６２と、画像読取装置１１が読み取った読取データをホスト装置１００に出力する出力インターフェイスからなる出力部６３とを備える。さらにコントローラー５０は、イメージセンサー４２Ａ，４２Ｂに対して画素信号の読出動作を含む各種の動作タイミングを規定するパルス信号を出力するタイミングジェネレーター６４（以下「ＴＧ６４」とも記す。）を備える。また、コントローラー５０は、イメージセンサー４２Ａ，４２Ｂから入力した画素信号をアナログ／デジタル変換（Ａ／Ｄ変換）するアナログフロントエンド６５（以下「ＡＦＥ６５」とも記す。）を備える。なお、記憶部６１は、例えば不揮発性メモリー及びＲＡＭからなる。
【００６５】
画像読取装置１１は、通信ケーブルを通じてホスト装置１００と接続されている。ホスト装置１００は、例えばパーソナルコンピューター（以下「ＰＣ」ともいう。）により構成され、入力部１０１と表示部１０２とを備える。なお、ホスト装置１００は、ＰＣに限らず、携帯情報端末（ＰＤＡ（Personal Digital Assistants））、タブレットＰＣ又はスマートフォン等のスマートデバイスなどでもよい。
【００６６】
図６に示すように、ホスト装置１００はコンピューター１０３と記憶部１０４とを内蔵する。コンピューター１０３は、読取ドライバー１０５を備える。読取ドライバー１０５は、ホスト装置１００にインストールされたソフトウェアにより構成される。
【００６７】
読取ドライバー１０５は、重送検出の有効／無効を設定するタスク設定部１０６を備える。タスク設定部１０６は、ユーザーによる入力部１０１の操作で指示された重送検出の有効／無効の設定情報を受け付け、その受け付けた設定情報を画像読取装置１１に送信して、処理部の一例としての主制御部７０に設定する。この設定情報の設定は、ユーザーが画像読取装置１１の重送検出無効スイッチ２５の操作によっても行うことができる。すなわち、画像読取装置１１の主制御部７０は、ユーザーによる重送検出無効スイッチ２５の操作で指示された重送検出の有効／無効の設定情報を設定する。また、ユーザーは入力部１０１を操作して、画像読取処理に関する設定条件（タスク条件）を設定する。設定条件には、読取解像度、読取色、片面読取り・両面読取り等を含む読取条件と、折り原稿の両面を読み取った際の２つの画像を結合するときに必要になるステッチ向き、シェーディング補正やガンマ補正等を含む画像処理条件と、画像データの保存形式、転送方法及び保存先を含む保存条件とが含まれる。
【００６８】
本実施形態の画像読取装置１１では、読取解像度には、例えば３００ｄｐｉ／６００ｄｐｉがあり、読取色には、モノクロ（グレースケール）／カラーがある。また、ステッチ向きとは、キャリアシートＣＳに挟んだ折り原稿の両面を読み取って得た２つの画像を結合する辺を左右どちらにするかを規定する条件である。保存形式には、ＰＤＦ形式、ＪＰＥＧ形式、ＧＩＦ形式等がある。また、転送方法には、ホスト装置１００への転送及びメール転送があり、保存先には、ホスト装置１００内の記憶部１０４におけるフォルダーのアドレス、又はメール転送先のメールアドレスが指定される。なお、設定条件は、ユーザーが画像読取装置１１の操作部２０を操作することで設定できてもよい。
【００６９】
図６に示す記憶部６１には、図１５にフローチャートで示されたキャリアシート判別処理用プログラムを含むプログラムＰＲ等が記憶されている。図６に示すコンピューター６０は、プログラムＰＲを実行することで同図に示す各種の機能部として機能する。すなわち、図６に示すように、コンピューター６０は、機能部として、主制御部７０、搬送モーター３７を制御する搬送制御部７１、搬送対象がキャリアシートＣＳであるか非キャリアシートであるかを判別する判別部７２、読取部４０を制御する読取制御部７３及び読取データに各種の画像処理等を施す画像処理部７４を備える。なお、非キャリアシートには、原稿Ｄ、クレジットカード等が挙げられる。
【００７０】
搬送制御部７１は、主制御部７０の指示に従って搬送モーター３７を駆動し、複数のローラー対３３〜３６を回転させることで、原稿サポート１３にセットされた読取対象（以下「読取シート」ともいう。）を１枚ずつ本体１２内へ給送する。更に搬送制御部７１は、給送された搬送対象を搬送経路３２に沿って読取条件に応じた一定の搬送速度で搬送させる。なお、搬送対象には、キャリアシートＣＳと、キャリアシート以外の非キャリアシートとがある。非キャリアシートには、原稿Ｄ及びクレジットカード等が含まれる。
【００７１】
判別部７２は、複数のカウンター８２を備える。カウンター８２は、第１ＣＳセンサー４６ＡがキャリアシートＣＳの領域Ａ１内で検出したマーク５３Ａ，５３Ｂ又は５４Ａ，５４Ｂに関する距離又はマークの数を計数する第１カウンター８２Ａと、第２ＣＳセンサー４６ＢがキャリアシートＣＳの領域Ａ２内で検出したマークの数を計数する第２カウンター８２Ｂとを備える。本例では、第１カウンター８２Ａがマークに関する距離を計測する例で説明する。
【００７２】
図１１及び図１２を参照して、マークに関する距離について説明する。図１１は、表向きのキャリアシートＣＳのマーク５３Ａ，５３Ｂを検出する処理を示し、図１２は裏向きのキャリアシートＣＳのマーク５４Ａ，５４Ｂを検出する処理を示す。なお、表向きと裏向きとでマークの検出処理は基本的に同じであるため、以下では、表向きのときのマーク検出処理について説明する。
【００７３】
図１１に示す第１ＣＳセンサー４６Ａは、キャリアシートＣＳの搬送方向Ｙ下流端（先端）を検知したときに検知状態から非検知状態に切り換わる。コンピューター６０は、第１ＣＳセンサー４６Ａが検知状態から非検知状態に切り換わると、第１カウンター８２Ａにエンコーダー４４から入力する検出信号のパルスエッジの数の計数を開始させる。エンコーダー４４の検出信号のパルス数は、読取対象であるキャリアシートＣＳの搬送距離に比例する。このため、第１カウンター８２Ａは、キャリアシートＣＳの先端から搬送方向Ｙ上流側へ向かう方向の距離を計数する。第１ＣＳセンサー４６Ａが、非検知状態から検知状態に切り換わると、第１カウンター８２Ａのそのときの計数値を第１距離Ｆ１として取得するとともに、第１カウンター８２Ａをリセットする。
【００７４】
そして、第１カウンター８２Ａは、引き続きエンコーダー４４の検出信号のパルスエッジの数を計数する。第１ＣＳセンサー４６Ａが、次に検知状態から非検知状態に切り換わると、第１カウンター８２Ａのそのときの計数値を第２距離Ｆ２として取得するとともに、第１カウンター８２Ａをリセットする。この第２距離Ｆ２は、マーク５３Ａの搬送方向Ｙ下流側のエッジ５９Ｂから搬送方向Ｙ上流側のエッジ５９Ｃまでの距離、つまりマーク５３Ａの幅に相当する。
【００７５】
さらに第１カウンター８２Ａは、引き続きエンコーダー４４の検出信号のパルスエッジの数を計数する。第１ＣＳセンサー４６Ａが、次に非検知状態から検知状態に切り換わると、第１カウンター８２Ａのそのときの計数値を第３距離Ｆ３として取得するとともに、第１カウンター８２Ａをリセットする。この第３距離Ｆ３は、マーク５３Ａの搬送方向Ｙ上流側のエッジ５９Ｃから次のマーク５３Ｂの搬送方向Ｙ下流側のエッジ５９Ｄまでの距離に相当する。
【００７６】
なお、各距離Ｆ１〜Ｆ３の計測に当たり、予め上限値が設定されている。コンピューター６０は、第１カウンター８２Ａの計数値が上限値を超えても、第１ＣＳセンサー４６Ａの検出状態が切り換わらない場合は、読取対象がキャリアシートＣＳ以外の非キャリアシートであると判定する。例えば、紙原稿やクレジットカード等は非キャリアシートであると判別される。
【００７７】
また、図１１に示す第２ＣＳセンサー４６Ｂは、キャリアシートＣＳの領域Ａ２（図４参照）を検出対象としてマーク検出処理を行う。図１１に示すように、第１ＣＳセンサー４６Ａがマークを検出（検知）している区間で、第２ＣＳセンサー４６Ｂがマークを検出（検知）していないマーク非検出状態にあれば、コンピューター６０は、第１ＣＳセンサー４６Ａのそのときのマークの検知結果に基づき判別されたキャリアシートＣＳが、表向きであると判別する。一方、図１２に示すように、第１ＣＳセンサー４６Ａがマークを検出（検知）している区間で、第２ＣＳセンサー４６Ｂがマークを検出（検知）しているマーク検出状態にあれば、コンピューター６０は、第１ＣＳセンサー４６Ａのそのときのマークの検知結果に基づき判別されたキャリアシートＣＳが、裏向きであると判別する。なお、第１ＣＳセンサー４６Ａ及び第２ＣＳセンサー４６Ｂが検出対象とするマークの数は複数個（本例では２個）にしている。検出対象のマークの数を複数個にしている理由は、マークが１個であると、紙原稿に穿孔されたパンチ穴をマークと誤検出する心配があるからである。また、マークの個数を計数するのではなく、マークに関する距離を計測するのは、個数の計数であると、パンチ穴が複数存在する場合に誤検出の心配があるが、マークに関する距離であれば、パンチ穴の誤検出をマークの個数のみの検出に比べ、より一層回避しやすいからである。
【００７８】
本例の重送センサー４７は、例えば図３に示すように超音波を発信する発信器４７Ａと、発信器４７Ａから発信された超音波を受信する受信器４７Ｂとを備える。発信器４７Ａから発信された超音波は、原稿Ｄ等の読取対象を通るときに減衰し、その減衰した超音波を受信器４７Ｂが受信する。そして、重送センサー４７は、受信器４７Ｂの受信した超音波の例えば振幅に比例する大きさの検出値をもつ検出信号を出力する。主制御部７０は、重送センサー４７の検出信号に基づいて重送エラー検出処理を行い、重送エラー発生時は、その旨を警告灯の点灯又は点滅、及びホスト装置１００の表示部１０２へのメッセージの表示によってユーザーに報知する。なお、本実施形態の重送センサー４７は、受信器４７Ｂが受信する超音波の減衰が大きいほど検出値がより小さな値をとる構成であるが、これとは逆に、超音波の減衰が大きいほど検出値がより大きな値をとる構成でもよい。
【００７９】
また、読取制御部７３は、イメージセンサー４２に対して画素信号の読出動作を含む各種動作の動作タイミングを規定するパルス信号を出力するＴＧ６４（タイミングジェネレーター）と、イメージセンサー４２から入力した画素信号をアナログ／デジタル変換（Ａ／Ｄ変換）するＡＦＥ６５（アナログフロントエンド）とを備える。そして、読取制御部７３は、ＡＦＥ６５を介して読取データを入力する。
【００８０】
読取制御部７３は、光源駆動部を介して光源４１の発光を制御し、原稿Ｄの読取領域に光を照射する。この搬送中に、読取制御部７３は、ＴＧ６４を介して読取部４０を制御し、原稿Ｄの画像を読み取らせる。読取部４０が読み取ったアナログの画像信号は、ＡＦＥ６５でデジタル信号に変換され、画像処理部７４に入力される。画像処理部７４は、入力したデジタルの画像信号にシェーディング補正及びガンマ補正等の公知の補正処理を施して、原稿Ｄの画像データを生成する。画像データは、コントローラー５０から通信ケーブル（図示せず）を通じてホスト装置１００に転送される。なお、画像データの転送先となるホスト装置１００は、ＰＣ（パーソナルコンピューター）に限らず、携帯情報端末（ＰＤＡ（Personal Digital Assistants））又はスマートフォン等のスマートデバイスなどであってもよい。
【００８１】
記憶部６１には、プログラムＰＲの他、キャリアシートＣＳがセットされた向きが表向きか裏向きかに応じたタスク条件が記憶されている。つまり、キャリアシートＣＳが表向きのときにその表向きの検出結果と紐付けられたタスク条件と、キャリアシートＣＳが裏向きのときにその裏向きの検出結果と紐付けられたタスク条件とが記憶されている。よって、ユーザーはキャリアシートＣＳを使用する際に、表向きにセットするか、裏向きにセットするかを選択することで、キャリアシートＣＳのセット向きと紐付けられたタスク条件を画像読取装置１１に指示することができる。
【００８２】
ここで、タスク条件は、読取解像度、読取色、折り原稿のステッチ向き、読取データの保存先及び保存形式のうち少なくとも１つを含む。特に本実施形態では、タスク条件として、読取解像度、読取色、折り原稿のステッチ向き、読取データの保存先及び保存形式の全てが設定されている。
【００８３】
読取解像度には、例えば３００ｄｐｉと６００ｄｐｉとがある。読取色には、カラーとモノクロ（グレースケール）とがある。折り原稿のステッチ向きには、所定の向きに折り原稿を挟んだキャリアシートＣＳを表向き又は裏向きにセットして給送した場合に、キャリアシートＣＳが表向きのときと裏向きのときとで、折り原稿の折目の位置が左右で逆向きになり、この折り目の位置に応じて右向きと左向きとがある。読取データの保存先には、ホスト装置１００側の記憶部１０４における複数のフォルダーのうち１つが、読取データの保存先として選択されている。保存形式には、ＰＤＦ形式、ビットマップ形式等の画像読取装置１１で読み取った原稿の画像データの形式として用いられる各種のデータ形式のうち予め設定された１つのデータ形式が選択されている。
【００８４】
次に画像読取装置１１の作用を説明する。
ユーザーは原稿Ｄを画像読取装置１１に読み取らせるときは、原稿Ｄを原稿サポート１３に積載する。例えばパスポートや通帳等の冊子原稿や履歴書等の折り原稿の画像を画像読取装置１１に読み取らせる際は、キャリアシートＣＳに原稿Ｄを挟み、その原稿Ｄを挟んだキャリアシートＣＳを原稿サポート１３にセットする。
【００８５】
ユーザーは、キャリアシートＣＳをセットした後、必要に応じて読取条件を設定する操作を行い、画像読取装置１１のスタートスイッチ２２を押下するか、又はホスト装置１００の入力部１０１を操作することで、画像読取装置１１に原稿の読み取りを指示する。
【００８６】
画像読取装置１１内のコンピューター６０は、原稿又はキャリアシートＣＳ等の読取対象の読み取りを開始させるスキャン開始の指示を受け付けると、図１３に示されるフローチャートを含むプログラムＰＲを実行する。以下、コンピューター６０が行う画像読取処理について、図１３に示されるフローチャートを参照して説明する。なお、重送センサー４７の検出値に基づき重送を検出する重送検出の有効／無効は、ユーザーが操作部２０又はホスト装置１００の入力部１０１を操作して設定可能であるが、以下の説明では、当初は重送検出に有効が設定されているものとする。
【００８７】
まずステップＳ１１では、搬送モーターを駆動し、読取対象の搬送を開始する。なお、本実施形態では、このステップＳ１１の処理が、搬送ステップの一例に相当する。
ステップＳ１２では、キャリアシート検出処理を行う。すなわち、コンピューター６０は、図１４に示すキャリアシート検出処理ルーチンを実行する。キャリアシート検出処理では、ＣＳセンサー４６の検出結果に基づいてカウンター８２により被検出部の一例であるマーク５３又は５４に関する距離Ｆ１〜Ｆ３を計測する。このキャリアシート検出処理の詳細については後述する。なお、本実施形態では、ステップＳ１２の処理が、検出ステップの一例に相当する。
【００８８】
ステップＳ１３では、キャリアシートであるか否かを判断する。詳しくは、キャリアシートＣＳ検出処理で得られた距離Ｆ１〜Ｆ３の計測結果が、キャリアシートＣＳの条件に適合すれば、そのときの読取対象がキャリアシートＣＳであると判別する。キャリアシートＣＳであればステップＳ１４に進み、キャリアシートＣＳでなければステップＳ２１に進む。
【００８９】
ステップＳ１４では、重送検出を無効にする。ここで、重送検出とは、重送センサー４７の検出値が重送判定用の閾値を超えたか否かを判断し、検出値が閾値を超えなければ重送を非検出とし、検出値が閾値を超えたことをもって重送を検出する。本例では、重送センサー４７の検出値に基づいて行われるこの重送検出を無効にする。なお、重送センサー４７をオフにして検出値の出力を停止させることで、重送検出を間接的に無効にする構成でもよい。
【００９０】
ステップＳ１５では、キャリアシートが表裏どちらのセット向きかを取得する。すなわち、コンピューター６０は、第２領域Ａ２を検出対象とする第２ＣＳセンサー４６Ｂの検出結果に基づいて、キャリアシートＣＳが表向きか裏向きかを判断する。例えば図９に示すように、第２ＣＳセンサー４６Ｂの検出結果がマーク非検出状態である場合、キャリアシートＣＳが表向きであると判断する。一方、図１０に示すように、第２ＣＳセンサー４６Ｂの検出結果がマーク５５Ａ，５５Ｂを検出したマーク検出状態である場合、キャリアシートＣＳが裏向きであると判断する。
【００９１】
ステップＳ１６では、セット向きに応じた読取り条件で画像読取動作を実施する。つまり、記憶部６１には、キャリアシートＣＳがセットされた向きが、表向きか裏向きかに対応付けたタスク条件で読取タスクが設定されている。すなわち、キャリアシートＣＳのセット向きが表向きであれば、第１の読取タスクが設定され、キャリアシートＣＳのセット向きが裏向きであれば、第２の読取タスクが設定される。ここで、読取タスクには、読取条件、画像処理条件及び出力条件が含まれる。読取条件には、読取解像度、読取色等が含まれる。画像処理条件には、シェーディング補正、ガンマ補正等の公知の画像処理の他、キャリアシート画像の中から原稿の画像を切り取る条件、キャリアシートと共に読み取った原稿の画像を、例えばキャリアシートＣＳの黄ばみ等の着色や傷等を除去する画像補正処理が含まれる。そして、このステップＳ１６では、キャリアシートＣＳのセット向きに応じた読取り条件で画像読取動作を実施する。例えばセット向きが表向きである場合、読取解像度が「高解像度」、読取色が「カラー」、両面スキャンの読取条件が設定される。一方、セット向きが裏向きである場合、読取解像度が「低解像度」、読取色が「モノクロ」、片面スキャンの読取条件が設定される。なお、本実施形態では、ステップＳ１６の処理が、読取ステップの一例に相当する。
【００９２】
ステップＳ１７では、セット向きに応じた画像処理を読取データに施す。コンピューター６０の画像処理部７４は、セット向きに応じた画像処理を読取データに施す。例えば表向きであれば第１のガンマ値でガンマ補正を行い、裏向きであれば第２のガンマ値でガンマ補正を行う。また、キャリアシートと共に読み取った原稿の画像を、例えば表向きであればキャリアシートＣＳの黄ばみ等の着色を除去する処理と傷等を除去する処理とを含む第１の画像補正処理を行い、裏向きであればキャリアシートＣＳの黄ばみ等の着色を除去する処理と傷等を除去する処理とのうち少なくとも一方を行わない第２の画像補正処理を行う。こうしてキャリアシートＣＳのセット向きが表向きか裏向きかに応じて、読取データに異なる画像処理が施される。
【００９３】
ステップＳ１８では、キャリアシートのセット向きに応じたステッチ向きを決定する。すなわち、キャリアシートＣＳのセット向きが図９に示す表向きであれば、図９のキャリアシートＣＳ中の折り原稿Ｄ１の右側の辺（図９では破線が付された側の辺）をステッチとして向きを決定する。一方、セット向きが図１０に示す裏向きであれば、図１０のキャリアシートＣＳ中の折り原稿Ｄ１の左側の辺（図１０では破線が付された側の辺）をステッチとして向きを決定する。なお、本実施形態では、ステップＳ１８の処理が、結合向き特定ステップの一例に相当する。
【００９４】
ステップＳ１９では、原稿を読み取った表面画像と裏面画像とを、決定したステッチ向きで結合させる。すなわち、コンピューター６０は、第１読取部４０Ａが読み取った表面画像と、第２読取部４０Ｂが読み取った裏面画像とを、決定したステッチ向きで結合させる。例えば図９に示す例では、キャリアシートＣＳ中の折り原稿Ｄ１の右辺（第１の辺）をステッチＳＴとみなし、表面画像ＳＤ１と裏面画像ＳＤ２とを、右辺を結合線ＣＬとして接合させることにより、結合画像ＳＤを生成する。また、図１０に示す例では、キャリアシートＣＳ中の折り原稿Ｄ１の左辺（第２の辺）をステッチＳＴとみなし、表面画像ＳＤ１と裏面画像ＳＤ２とを、左辺を結合線ＣＬとして結合させることにより、結合画像ＳＤを生成する。なお、本実施形態では、ステップＳ１９の処理が、画像処理ステップの一例に相当する。
【００９５】
ステップＳ２０では、セット向きに応じた出力条件で原稿読取データを出力する。すなわち、コンピューター６０の主制御部７０は、画像処理部７４が生成した原稿読取データを、セット向きに応じた出力条件で出力する。出力条件には、原稿読取データを出力するとき又は出力先で保存するときのデータ形式（ファイル形式）と保存方式とが含まれる。保存方式には、原稿読取データをホスト装置１００の記憶部１０４の指定のフォルダーに保存する方式と、ホスト装置１００から保存先の端末等にメール転送する方式とがある。例えばキャリアシートＣＳが表向きのときは、読取データをＰＤＦ形式に変換し、ホスト装置１００内の指定のフォルダーに保存する。一方、キャリアシートＣＳが裏向きのときは、読取データをＪＰＥＧ形式に変換し、ホスト装置１００を経由して指定の端末にメール転送する。
【００９６】
ステップＳ２１では、ユーザーが設定した条件に基づき、読取動作、画像処理、データ出力を実施する。すなわち、読取対象が紙原稿やクレジットカード等の非キャリアシートの原稿である場合、ユーザーが画像読取装置１１又はホスト装置１００の読取ドライバー１０５に設定したタスク条件に基づいて、原稿Ｄの読取動作、画像処理、データ出力を実施する。
【００９７】
次に図１４を参照して、図１３のステップＳ１２におけるキャリアシート検出処理の詳細を説明する。キャリアシート検出処理は、図１１及び図１２に示すように第１ＣＳセンサー４６Ａの検知状態の切り換わりをトリガーとして第１カウンター８２Ａでエンコーダー４４の検出信号のパルスエッジの数を計数して、各距離Ｆ１〜Ｆ３を計測することにより行われる。距離Ｆ１〜Ｆ３の１つでも計測不能な場合は、読取対象が非キャリアシートであると判別される。また、このキャリアシート検出処理により、キャリアシートＣＳであるか非キャリアシートであるかの判別の他、キャリアシートＣＳである場合にそのセット向きが表向きであるか裏向きであるかが判別される。
【００９８】
まずステップＳ３１では、第１ＣＳセンサーが読取対象の先端を検知してから第１マークの始端を検知するまでの第１距離Ｆ１を計測する。図１１に示す第１ＣＳセンサー４６Ａは、キャリアシートＣＳの搬送方向Ｙ下流端（先端）を検知したときに検知状態から非検知状態に切り換わる。第１ＣＳセンサー４６Ａが検知状態から非検知状態に切り換わると、第１カウンター８２Ａはエンコーダー４４から入力する検出信号のパルスエッジの数の計数、つまり第１距離Ｆ１の測定を開始する。そして、第１ＣＳセンサー４６Ａが、非検知状態から検知状態に切り換わるまで計測する。なお、第１距離Ｆ１を計測できた場合、第１カウンター８２Ａは第１距離Ｆ１の値が読み出された後、リセットされる。
【００９９】
ステップＳ３２では、第１距離Ｆ１を計測できたか否かを判断する。コンピューター６０は、第１カウンター８２Ａの計数値が上限値を超える前に、第１ＣＳセンサー４６Ａが、非検知状態から検知状態に切り換わったことをもって、第１距離Ｆ１を計測できたと判断する。そのため、第１カウンター８２Ａの計数値が第１距離用の上限値を超えても、第１ＣＳセンサー４６Ａが、非検知状態から検知状態に切り換わらない場合、第１距離Ｆ１を計測できなかったと判断する。第１距離Ｆ１を計測できた場合はステップＳ３３に進む。一方、第１距離Ｆ１を計測できなかった場合はステップＳ４１に進み、読取対象が非キャリアシートであると判定する。なお、上限値は第１距離の計測を止めるための値であって、第１距離Ｆ１がキャリアシートＣＳの寸法に合った適切な値であるかどうかは次の処理で判定される。
【０１００】
ステップＳ３３では、第１距離Ｆ１は規定範囲内であるか否かを判断する。ここで、規定範囲は、第１距離Ｆ１がキャリアシートＣＳの先端５９Ａから１つ目のマーク５３Ａ，５４Ａのエッジ５９Ｂまでの距離であるとみなしうる値の範囲に設定されている。第１距離Ｆ１が規定範囲内にあればステップＳ３４に進む。一方、第１距離Ｆ１が規定範囲内になければステップＳ４１に進み、読取対象が非キャリアシートであると判定する。
【０１０１】
ステップＳ３４では、第１ＣＳセンサーが第１マークの始端を検知してから終端を検知するまでの第２距離Ｆ２を計測する。第１カウンター８２Ａは、マーク５３Ａ，５４Ａの搬送方向Ｙ下流側のエッジ５９Ｂから搬送方向Ｙ上流側のエッジ５９Ｃまでの第２距離Ｆ２、つまりマーク５３Ａの幅を計測する。詳しくは、第１ＣＳセンサー４６Ａが、検知状態から非検知状態に切り換わると、第１カウンター８２Ａのそのときの計数値を第２距離Ｆ２として取得する。なお、第２距離Ｆ２を計測できた場合、第１カウンター８２Ａは第２距離Ｆ２の値が読み出された後、リセットされる。
【０１０２】
ステップＳ３５では、第２距離Ｆ２を計測できたか否かを判断する。コンピューター６０は、第１カウンター８２Ａの計数値が上限値を超える前に、第１ＣＳセンサー４６Ａが、検知状態から非検知状態に切り換わったことをもって、第２距離Ｆ２を計測できたと判断する。そのため、第１カウンター８２Ａの計数値が第２距離用の上限値を超えても、第１ＣＳセンサー４６Ａが、検知状態から非検知状態に切り換わらない場合、第２距離Ｆ２を計測できなかったと判断する。第２距離Ｆ２を計測できた場合はステップＳ３６に進む。一方、第２距離Ｆ２を計測できなかった場合はステップＳ４１に進み、読取対象が非キャリアシートであると判定する。なお、上限値は第２距離の計測を止めるための値である。
【０１０３】
ステップＳ３６では、第１ＣＳセンサーが第１マークの終端を検知してから第２マークの始端を検知するまでの第３距離Ｆ３を計測する。第１カウンター８２Ａは、マーク５３Ａ，５４Ａの搬送方向Ｙ上流側のエッジ５９Ｃから次のマーク５３Ｂ，５４Ｂの搬送方向Ｙ下流側のエッジ５９Ｄまでの第３距離Ｆ３を計測する。詳しくは、第１ＣＳセンサー４６Ａが、非検知状態から検知状態に切り換わると、第１カウンター８２Ａのそのときの計数値を第３距離Ｆ３として取得する。
【０１０４】
ステップＳ３７では、第３距離Ｆ３を計測できたか否かを判断する。コンピューター６０は、第１カウンター８２Ａの計数値が第３距離用の上限値を超える前に、第１ＣＳセンサー４６Ａが、非検知状態から検知状態に切り換わったことをもって、第３距離Ｆ３を計測できたと判断する。そのため、第１カウンター８２Ａの計数値が第３距離用の上限値を超えても、第１ＣＳセンサー４６Ａが、非検知状態から検知状態に切り換わらない場合、第３距離Ｆ３を計測できなかったと判断する。第３距離Ｆ３を計測できた場合はステップＳ３８に進む。一方、第３距離Ｆ３を計測できなかった場合はステップＳ４１に進み、読取対象が非キャリアシートであると判定する。なお、上限値は第３距離の計測を止めるための値であって、第３距離Ｆ３がキャリアシートＣＳの寸法に合った適切な値であるかどうかは次の処理で判定される。
【０１０５】
ステップＳ３８では、第３距離Ｆ３は規定範囲内であるか否かを判断する。ここで、規定範囲は、第３距離Ｆ３が１つ目のマーク５３Ａ，５４Ａの上流側のエッジ５９Ｃから２つ目のマーク５３Ｂ，５４Ｂの下流側のエッジ５９Ｄまでの距離であるとみなしうる値の範囲に設定されている。第３距離Ｆ３が規定範囲内にあればステップＳ３９に進む。一方、第３距離Ｆ３が規定範囲内になければステップＳ４１に進み、読取対象が非キャリアシートであると判定する。
【０１０６】
ステップＳ３９では、読取対象がキャリアシートであると判定する。
次のステップＳ４０では、第２ＣＳセンサーの検出結果に基づきキャリアシートのセット向きを判定する。すなわち、第１ＣＳセンサー４６Ａがマークを検出（検知）している区間で、図１１に示すように第２ＣＳセンサー４６Ｂがマークを検出（検知）していないマーク非検出状態であれば、コンピューター６０は、第１ＣＳセンサー４６Ａの検出結果に基づきそのとき判別されたキャリアシートＣＳが表向きであると判別する。一方、図１２に示す第１ＣＳセンサー４６Ａがマークを検出している区間で、第２ＣＳセンサー４６Ｂがマークを検出しているマーク検出状態にあれば、コンピューター６０は、第１ＣＳセンサー４６Ａの検出結果に基づきそのとき判別されたキャリアシートＣＳが裏向きであると判別する。なお、第１ＣＳセンサー４６Ａ及び第２ＣＳセンサー４６Ｂが検出対象とするマークの数は複数個（例えば２個）としているので、紙原稿に穿孔されたパンチ穴をマークと誤検出する心配がない。また、マークの個数を計数するのではなく、マークに関する距離を計測するので、パンチ穴が複数存在しても誤検出の心配がない。
【０１０７】
以上詳述した第１実施形態によれば、以下に示す効果を得ることができる。
（１）シート検出部の一例であるＣＳセンサー４６（キャリアシートセンサー）を、重送検出部の一例である重送センサー４７の配置位置よりも、搬送方向Ｙ上流側の位置に配置した。よって、原稿ＤをキャリアシートＣＳに挟んで画像読み取りをする場合、重送センサー４７によりキャリアシートＣＳが原稿の重送であると誤検出される前に、搬送対象がキャリアシートＣＳであることを検出できる。このため、重送センサー４７のこの種の誤検出に起因し、キャリアシートＣＳに挟んだ原稿Ｄの読取動作が中断される事態を回避できる。
【０１０８】
（２）ＣＳセンサー４６がキャリアシートＣＳを検出したら、重送センサー４７による重送検出が無効にされるので、重送センサー４７がキャリアシートＣＳを、原稿Ｄの重送と誤検出した結果、キャリアシートＣＳに挟んだ原稿Ｄの読取動作が中断される事態を回避できる。例えばユーザーが読取動作開始前に、重送検出を無効とするべく重送検出無効スイッチ２５を操作したり、ホスト装置１００内の読取ドライバー１０５に重送検出を無効にする指示を与えるべく入力部１０１を操作したりする手間を不要にできる。このように重送検出を手動で無効にするなどユーザーに課せられる操作が不要になるので、その分、ユーザーの操作の手間を軽減できる。
【０１０９】
（３）キャリアシートＣＳの向きが表向きか裏向きかを検出可能な向き検出部の一例としての第２ＣＳセンサー４６Ｂと、検出された向きが表向きか裏向きかに応じて画像読取処理内容を切り替える処理部の一例として主制御部７０とを更に備える。よって、キャリアシートＣＳのセット向きが表向きか裏向きに応じて、画像読取処理内容が切り替えられる。このため、原稿Ｄを挟んだキャリアシートＣＳを読取部４０が読み取った画像に対して、検出した向きに応じた適切な内容で原稿Ｄの画像読取処理を行うことができる。よって、ユーザーはキャリアシートＣＳを画像読取装置１１にセットする向きを表向きか裏向きかを選択することによって、画像読取装置１１に行わせる処理の内容を指定できる。
【０１１０】
（４）処理部の一例としての主制御部７０は、キャリアシートＣＳのセット向きが表向きか裏向きかに応じて、原稿Ｄの表面画像と裏面画像とを結合する辺を左右どちらにするかを切り替える。すなわち、主制御部７０は、向き検出部の一例である第２ＣＳセンサー４６Ｂが検出したキャリアシートＣＳのセット向きが表向きか裏向きかに応じて、キャリアシートＣＳに挟まれた原稿Ｄ（例えば折り原稿等）の表面画像と裏面画像とを結合する辺を左右どちらにするかを規定するステッチ向きを切り替える。よって、ユーザーは原稿Ｄを挟んだキャリアシートＣＳを、表向きと裏向きとのどちらの向きにセットしても、表面画像と裏面画像とを実際の折り目の辺で結合した結合画像を取得できる。例えば、ユーザーはタスク条件を選択する意図でキャリアシートＣＳを表向き又は裏向きにセットしても、表面画像と裏面画像とを実際の折り目の辺で結合した適切な結合画像を取得できる。
【０１１１】
（５）処理部の一例としての主制御部７０が、キャリアシートＣＳの向きが表向きか裏向きかに応じて切り替える画像読取処理内容には、原稿の画像を読み取る読取条件と、読取部４０が取得した読取データに施される画像処理内容と、画像処理後の読取データを指定の保存先に保存させる保存条件との全てを含む。よって、キャリアシートＣＳのセット向きが表向きか裏向きかに応じて、原稿の画像を読み取る読取条件と、読取データに施される画像処理内容と、画像処理後の読取データを指定の保存先に保存させる保存条件とが切り替えられる。よって、ユーザーはキャリアシートＣＳを表向きか裏向きかどちらの向きで画像読取装置１１の原稿サポート１３にセットするかを選択することで、読取条件と画像処理内容と保存条件とを選択できる。例えば、キャリアシートＣＳに挟んで読み取る必要がある特定の原稿Ｄの画像を読み取るときは、その特定の原稿Ｄに合った特定の画像読取条件で原稿の画像を読み取らせることができ、しかも特定の画像読取処理内容を、キャリアシートＣＳをセットするときに表向きか裏向きかを選択することで、２種類のうちから所望の１つを選択できる。
【０１１２】
（６）キャリアシートＣＳには、キャリアシートＣＳを検出可能な被検出部の一例としてのマーク５３，５４が設けられている。シート検出部の一例である第１ＣＳセンサー４６Ａは、キャリアシートＣＳが搬送部によって搬送される過程でマーク５３，５４を検出可能な位置に設けられている。よって、第１ＣＳセンサー４６Ａが、キャリアシートＣＳが搬送される過程でキャリアシートＣＳに設けられたマーク５３，５４を検出することができ、マーク５３，５４の検出結果に基づいて読取対象がキャリアシートＣＳであることを検出できる。
【０１１３】
（７）キャリアシートＣＳには、セットされた向きが表向きか裏向きかを検出可能な被検出部の一例としてのマーク５５Ａ，５５Ｂが設けられ、向き検出部の一例である第２ＣＳセンサー４６Ｂは、キャリアシートＣＳのマーク５５Ａ，５５Ｂを検出可能な位置に設けられている。よって、第２ＣＳセンサー４６Ｂが、キャリアシートＣＳに設けられたマーク５５Ａ，５５Ｂの検出の有無によって、キャリアシートＣＳのセット向きが表向きであるか裏向きであるかが検出される。キャリアシートＣＳのセット向きが表向きでも裏向きでも、キャリアシートＣＳに挟まれた原稿の表面画像ＳＤ１と裏面画像ＳＤ２とを適切なステッチ向きの辺で結合できる。
【０１１４】
（８）マーク５３，５４は、透明材料からなる窓部なので、孔である場合に比べ、接触式センサーのレバー（接触部）がマーク５３，５４に引っ掛かり難い。例えば、搬送方向Ｙと交差する幅方向Ｘにおいて第１ＣＳセンサー４６Ａを原稿有無センサー４８に対してオフセットさせる必要がないので、第１ＣＳセンサー４６Ａの配置の自由度が増し、例えば画像読取装置１１のコンパクト化に寄与できる。
【０１１５】
なお、上記各実施形態は以下のような形態に変更することもできる。
・図１５に示すように、被検出部の一例であるマーク５３，５４は透明部に替え、孔の一例としての貫通孔でもよい。マーク５３は、領域Ａ１内に貫通孔からなるマーク５６Ａ，５６Ｂを有している。また、マーク５４は、領域Ａ１内に貫通孔からなるマーク５７Ａ，５７Ｂ及び領域Ａ２内に貫通孔からなるマーク５８Ａ，５８Ｂを有している。図１６に示すように、接合材５１Ａに形成された貫通孔５１Ｂと、透明なシート５２Ａに形成された貫通孔５２Ｂとが連通することで、貫通孔からなるマーク５３，５４が形成されている。このようなマーク５３，５４が貫通孔である場合、キャリアシートＣＳが搬送される過程で原稿センサー４５及び原稿有無センサー４８のような接触式センサーのレバーが、貫通孔からなるマーク５３，５４に引っ掛かる心配がある。しかし、本実施形態の画像読取装置１１では、各ＣＳセンサー４６Ａ，４６Ｂは、原稿有無センサー４８に対して搬送方向Ｙと交差する幅方向Ｘにオフセットした位置に配置されている。このように孔からなるマークを検出可能な各ＣＳセンサー４６Ａ，４６Ｂは、レバー式の原稿有無センサー４８に対して幅方向Ｘにオフセットした位置にあるので、マーク５３，５４の搬送経路上に原稿有無センサー４８のレバーが位置しない。よって、原稿有無センサー４８のレバーがマーク５３，５４の孔に引っ掛かることがない。
【０１１６】
・図１７及び図１８に示すように、キャリアシートＣＳのセット向きを検出するためのマーク及びそのマークを検出可能な第２ＣＳセンサー４６Ｂは無くてもよい。また、図１７及び図１８に示すように、マーク５３，５４を構成するマークの数は、マーク５３を構成する２個のマーク５３Ａ，５３Ｂ、マーク５４を構成する３個のマーク５４Ａ，５４Ｂ，５４Ｃでもよい。このようにマーク５３，５４を複数個のマークにより構成すれば、紙原稿のパンチ穴をマーク５３，５４と誤検出することを回避できる。
【０１１７】
・マーク５３，５４を構成するマークの個数は、パンチ穴と誤検出する頻度が多少高まるが、１個としてもよい。
・処理部の一例としての主制御部７０が、キャリアシートＣＳの向きが表向きか裏向きかに応じて切り替える画像読取処理内容には、原稿の画像を読み取る読取条件と、読取部４０が取得した読取データに施される画像処理内容と、画像処理後の読取データを指定の保存先に保存させる保存条件とのうち少なくとも一つが含まれていればよい。
【０１１８】
・タスク条件は、読取解像度、読取色、折り原稿のステッチ向き、読取データの保存先及び保存形式のうち全てを含む必要はなく、これらのうち少なくとも１つ含めばよい。例えばタスク条件は、読取条件（読取解像度、読取色等）のみを含む構成、保存条件（データ形式、保存先アドレス）のみを含む構成でもよい。
【０１１９】
・画像読取装置は、シートフィード型に限らず、フラットベッド型でもよい。フラットベッド型の画像読取装置である場合、本体内には副走査方向（Ｘ方向）に沿って移動可能なキャリッジを備え、キャリッジは、走査用モーターを動力源として移動し、キャリッジに設けられた光源及び読取部により、原稿台のガラス板上にセットされた原稿の画像を読み取る。この種のフラットベッド型の画像読取装置でも、原稿を自動で給送する自動原稿給送装置（オートシートフィーダー）が設けられたものであればよい。
【符号の説明】
【０１２０】
１１…画像読取装置、１２…本体、１２Ａ…給送口、１２Ｄ…排出口、１３…原稿サポート、２０…操作部、３１…搬送部、３３，３４…給送ローラー対、３５，３６…搬送ローラー対、３７…搬送モーター、４０，４０Ａ，４０Ｂ…読取部、４１，４１Ａ，４１Ｂ…光源、４２，４２Ａ，４２Ｂ…イメージセンサー、４４…エンコーダー、４５…原稿センサー、４６Ａ…シート検出部の一例としての第１ＣＳセンサー、４６Ｂ…向き検出部の一例としての第２ＣＳセンサー、４７…重送検出部の一例としての重送センサー、４８…原稿有無検出部の一例としての原稿有無センサー、５０…コントローラー、５１…接合部、５２…シート部、５２Ａ…シート、５３，５４…被検知部の一例としてのマーク、５３Ａ，５３Ｂ…マーク、５４Ａ，５４Ｂ…マーク、５５Ａ，５５Ｂ…マーク、５６Ａ，５６Ｂ…マーク、５７Ａ，５７Ｂ…マーク、５８Ａ，５８Ｂ…マーク、６０…コンピューター、６１…記憶部、６２…入力部、６３…出力部、７０…処理部の一例としての主制御部、７１…搬送制御部、７２…判別部、７３…読取制御部、７４…画像処理部、８１…搬送カウンター、８２Ａ…第１カウンター、８２Ｂ…第２カウンター、ＣＳ…キャリアシート、Ｄ，Ｄ１…原稿、ＳＤ１…読取データの一例としての表面画像、ＳＤ２…読取データの一例としての裏面画像、ＳＤ…画像処理後の読取データの一例としての結合画像、Ａ１…領域、Ａ２…領域、ＰＲ…プログラム、Ｘ…幅方向（主走査方向）、Ｙ…搬送方向。
【図１】
0006620517.tif 000002
【図２】
0006620517.tif 000003
【図３】
0006620517.tif 000004
【図４】
0006620517.tif 000005
【図５】
0006620517.tif 000006
【図６】
0006620517.tif 000007
【図７】
0006620517.tif 000008
【図８】
0006620517.tif 000009
【図９】
0006620517.tif 000010
【図１０】
0006620517.tif 000011
【図１１】
0006620517.tif 000012
【図１２】
0006620517.tif 000013
【図１３】
0006620517.tif 000014
【図１４】
0006620517.tif 000015
【図１５】
0006620517.tif 000016
【図１６】
0006620517.tif 000017
【図１７】
0006620517.tif 000018
【図１８】
0006620517.tif 000019